(57)【要約】【課題】エンジン回転速度を低下させた場合でも補機設備で必要となる電圧を安定供給する。【解決手段】コントローラ７により、クレーン動作を実行している際にはディーゼルエンジン１１を当該クレーン動作に必要な動作回転速度Ｎｂで運転するとともに、クレーン動作を停止している際にはディーゼルエンジン１１を動作回転速度Ｎｂより低いアイドリング回転速度Ｎａで運転し、電圧昇圧装置５１により、発電電力ＰＧの発電電圧ＶＧを昇圧することにより補機設備６を駆動するための補助電力ＰＳを供給するとともに、ディーゼルエンジン１１がアイドリング回転速度Ｎａで運転されて発電電圧ＶＧが低下した場合でも、補機設備６を駆動するのに十分な電圧の補助電力ＰＳを供給する。【選択図】  図１
2010083666.tif 000002
【特許請求の範囲】
【請求項１】
エンジンで発電機を駆動して得られた発電電力を駆動電力として共通母線へ供給するエンジン発電装置と、
前記共通母線を介して前記エンジン発電装置から供給された前記駆動電力により駆動されて、荷物の積み降ろしを含む各種クレーン動作を行うための複数の電動機と、
前記クレーン動作を実行している際には前記エンジンを当該クレーン動作に必要な動作回転速度で運転するとともに、前記クレーン動作を停止している際には前記エンジンを前記動作回転速度より低いアイドリング回転速度で運転するコントローラと、
前記駆動電力の駆動電圧を昇圧することにより補機設備を駆動するための補助電力を供給するとともに、前記エンジンが前記アイドリング回転速度で運転されて前記駆動電圧が低下した場合でも、前記補機設備を駆動するのに十分な電圧の補助電力を供給する電圧昇圧装置と
を備えることを特徴とするクレーン装置。
【請求項２】
請求項１に記載のクレーン装置において、
前記補助電力を前記共通母線へ供給する整流器をさらに備えることを特徴とするクレーン装置。
【請求項３】
エンジンで発電機を駆動して得られた発電電力を駆動電力として共通母線へ供給するエンジン発電装置と、
前記共通母線を介して前記エンジン発電装置から供給された前記駆動電力により駆動されて、荷物の積み降ろしを含む各種クレーン動作を行うための複数の電動機と、
前記クレーン動作を実行している際には前記エンジンを当該クレーン動作に必要な動作回転速度で運転するコントローラと、
前記駆動電力の駆動電圧を昇圧することにより補機設備を駆動するための補助電力を供給する電圧昇圧装置と
を備えるクレーンのクレーン制御方法であって、
前記コントローラは、前記クレーン動作を停止している際には前記エンジンを前記動作回転速度より低いアイドリング回転速度で運転し、
電圧昇圧装置は、前記エンジンが前記アイドリング回転速度で運転されて前記駆動電圧が低下した場合でも、前記補機設備を駆動するのに十分な電圧の補助電力を供給する
ことを特徴とするクレーン制御方法。
【請求項４】
請求項３に記載のクレーン制御方法において、
整流器は、前記補助電力を前記共通母線へ供給することを特徴とするクレーン制御方法。
【発明の詳細な説明】
【技術分野】
【０００１】
本発明は、クレーン装置に関し、特に駆動電力をエンジン駆動で発電するエンジン駆動発電方式のクレーン装置に関する。
【背景技術】
【０００２】
港湾などのヤードにおいて、船舶やトレーラに対するコンテナなどの荷物の積み降ろしを行うクレーン装置では、複数の電動機を用いて、荷物の昇降、さらには架台の走行や横行などの動作を行っている。また、これら電動機へ動作電力を供給するため、エンジン駆動発電方式では、ディーゼルエンジンを用いて発電機を駆動するエンジン発電装置を用いて必要な電力を各電動機へ供給する構成となっている。
【０００３】
このようなクレーン装置では、荷物の吊り上げ時などは最大負荷となるが、荷物の吊り下げ時など電力をほとんど必要としない場合もあり、負荷変動が大きい。したがって、最大負荷時に見合った電力を発電機から供給するためにはディーゼルエンジンや発電機として大型のものが必要となるものの、平均負荷を上回る設備規模となるため、設備コストや運転コストの面で非効率であった。
【０００４】
従来、このようなクレーン装置に蓄電装置を設けて、常時、エンジン発電装置で発電するとともに、最大負荷時などに蓄電装置から並列的に電力を供給し、回生時に発生した余剰電力を蓄電装置へ充電するものが提案されている（例えば、特許文献１など参照）。
【０００５】
【特許文献１】特開２００１−１６３５７４号公報
【発明の開示】
【発明が解決しようとする課題】
【０００６】
前述した従来技術では、荷物の巻上時に必要な最大負荷電力を、蓄電装置の蓄電電力で一時的に補うことができるものの、このような最大負荷電力を安定供給するため、常時、エンジン発電装置を一定回転速度で運転している。このため、荷物の巻上動作、架台の走行や横行などの電動機を用いたクレーン動作を行っていない待機時などの低負荷時にも関わらず定格回転速度を維持しなければならず、発電電力が過剰となり、エンジン発電装置の燃費が悪くなる。
【０００７】
このようなエンジン発電装置の燃費を改善する方法として、低負荷時にエンジン発電装置の回転速度を低減する方法が考えられ、回転速度を低くすればするほど、エンジン発電装置の燃費を削減することが可能となる。
しかしながら、このような方法では、エンジン発電装置の回転速度を低下させた場合、規定の電圧や周波数の発電電力を得ることができなくなり、クレーン装置において低負荷時でもエンジン発電装置からの発電電力を利用している、照明装置、空調装置、あるいはコントローラなど、クレーン装置の付帯設備として設けられている各種補機設備の動作が不可能となるという問題点があった。
【０００８】
本発明はこのような課題を解決するためのものであり、エンジン回転速度を低下させた場合でも補機設備で必要な電圧を安定供給できるクレーン装置およびクレーン制御方法を提供することを目的としている。
【課題を解決するための手段】
【０００９】
このような目的を達成するために、本発明にかかるクレーン装置は、エンジンで発電機を駆動して得られた発電電力を駆動電力として共通母線へ供給するエンジン発電装置と、共通母線を介してエンジン発電装置から供給された駆動電力により駆動されて、荷物の積み降ろしを含む各種クレーン動作を行うための複数の電動機と、クレーン動作を実行している際にはエンジンを当該クレーン動作に必要な動作回転速度で運転するとともに、クレーン動作を停止している際にはエンジンを動作回転速度より低いアイドリング回転速度で運転するコントローラと、駆動電力の駆動電圧を昇圧することにより補機設備を駆動するための補助電力を供給するとともに、エンジンがアイドリング回転速度で運転されて駆動電圧が低下した場合でも、補機設備を駆動するのに十分な電圧の補助電力を供給する電圧昇圧装置とを備えている。
この際、補助電力を共通母線へ供給する整流器をさらに備えてもよい。
【００１０】
また、本発明のクレーン制御方法は、エンジンで発電機を駆動して得られた発電電力を駆動電力として共通母線へ供給するエンジン発電装置と、共通母線を介してエンジン発電装置から供給された駆動電力により駆動されて、荷物の積み降ろしを含む各種クレーン動作を行うための複数の電動機と、クレーン動作を実行している際にはエンジンを当該クレーン動作に必要な動作回転速度で運転するコントローラと、
駆動電力の駆動電圧を昇圧することにより補機設備を駆動するための補助電力を供給する電圧昇圧装置とを備えるクレーンのクレーン制御方法であって、コントローラは、クレーン動作を停止している際にはエンジンを動作回転速度より低いアイドリング回転速度で運転し、電圧昇圧装置は、エンジンがアイドリング回転速度で運転されて駆動電圧が低下した場合でも、補機設備を駆動するのに十分な電圧の補助電力を供給する。
この際、整流器は、補助電力を共通母線へ供給するようにしてもよい。
【発明の効果】
【００１１】
本発明によれば、クレーン動作が停止されてエンジン回転速度をアイドリング回転速度まで低下させた場合でも、電圧昇圧装置により、アイドリング時でも補助電力を通常時と同様に補機設備に供給することが可能となる。
これにより、クレーン装置の動作状況に応じてエンジン発電装置のエンジン回転速度をアイドリング回転速度まで大幅に低下させても、補機設備を駆動することが可能となる。このため、クレーン装置の全体的な動作を正常に維持しつつ、エンジン発電装置の燃費を効果的に削減でき、環境への影響も削減することが可能となる。
【発明を実施するための最良の形態】
【００１２】
次に、本発明の実施の形態について図面を参照して説明する。
［一実施の形態の構成］
まず、図１を参照して、本発明の一実施の形態にかかるクレーン装置について説明する。図１は、本発明の一実施の形態にかかるクレーン装置の構成を示す機能ブロック図である。
このクレーン装置は、エンジン駆動で発電した駆動電力を共通母線へ供給することにより、共通母線に接続された電動機を駆動して荷物の積み降ろしを含む各種クレーン動作を行う装置であり、主な構成として、エンジン発電装置１、整流器２、主巻電動機３０、走行電動機３１，３２、横行電動機３３、インバータ（ＩＮＶ）４１〜４４、電圧昇圧装置５１、整流器５２、補機設備６、コントローラ７、および共通母線９が設けられている。
【００１３】
本実施の形態は、コントローラ７により、クレーン動作を実行している際にはエンジン発電装置１のディーゼルエンジン（ＤＥ）１１を当該クレーン動作に必要な動作回転速度Ｎｂで運転するとともに、クレーン動作を停止している際にはディーゼルエンジン１１を動作回転速度Ｎｂより低いアイドリング回転速度Ｎａで運転し、電圧昇圧装置５１により、駆動電力ＰＭの駆動電圧ＶＭを昇圧することにより補機設備６を駆動するための補助電力ＰＳを供給するとともに、ディーゼルエンジン１１がアイドリング回転速度Ｎａで運転されて駆動電圧ＶＭが低下した場合でも、補機設備６を駆動するのに十分な電圧の補助電力ＰＳを供給するようにしたものである。
【００１４】
以下、本実施の形態にかかるクレーン装置の構成について詳細に説明する。
エンジン発電装置１は、ディーゼルエンジン（ＤＥ）１１と発電機（Ｇ）１２を有し、ディーセルエンジン１１で発電機１２を駆動することにより交流の発電電力ＰＧを発電する装置であり、コントローラ７からの運転指示１０に基づいて、ディーゼルエンジン１１のエンジン回転速度Ｎを制御する機能を有している。
整流器２は、エンジン発電装置１から出力された交流の発電電力ＰＧを整流した直流の駆動電力ＰＭを共通母線９へ供給する機能を有している。
【００１５】
主巻電動機３０は、荷物の昇降を行うための交流電動機である。走行電動機３１，３２は、架台の走行を行うための交流電動機である。横行電動機３３は、架台の横行を行うための交流電動機である。
インバータ４１は、共通母線９上の駆動電力ＰＭを交流電力に変換して主巻電動機３０および走行電動機３１へ供給するＤＣ／ＡＣ変換器である。
インバータ４２は、共通母線９上の駆動電力ＰＭを交流電力に変換して主巻電動機３０および走行電動機３２へ供給するＤＣ／ＡＣ変換器である。
インバータ４３は、共通母線９上の駆動電力ＰＭを交流電力に変換して横行電動機３３へ供給するＤＣ／ＡＣ変換器である。これらインバータ４３や横行電動機３３は、クレーン頂部のトロリー構造に応じて複数設けられている。
【００１６】
インバータ４４は、電圧昇圧装置５１から出力された直流の補助電力ＰＳを交流電力に変換して補機設備６へ供給するＤＣ／ＡＣ変換器である。
電圧昇圧装置５１は、例えば交流昇圧チョッパからなり、発電電力ＰＧの発電電圧ＶＧを昇圧することにより補機設備６を駆動するための補助電力ＰＳを供給する機能と、ディーゼルエンジン１１がアイドリング回転速度Ｎａで運転されて発電電圧ＶＧが低下した場合でも、補機設備６を駆動するのに十分な電圧を有する補助電力ＰＳを供給する機能とを有している。
整流器５２は、補助電力ＰＳの補助電圧ＶＳが駆動電力ＰＭの駆動電圧ＶＭより高い場合にのみ、補助電力ＰＳを共通母線９へ供給する機能を有している。
【００１７】
コントローラ７は、ＣＰＵなどのマイクロプロセッサとその周辺回路を有し、マイクロプロセッサまたは周辺回路に設けられたメモリからプログラムを読み込んで実行することにより、プログラムと上記ハードウェアとを協働させて、クレーン装置全体を制御するための各種機能を有している。
【００１８】
コントローラ７の主な機能としては、操作レバーや操作スイッチを介して検出した操作者のクレーン操作入力に基づいて、各種コマンド４Ａをやり取りすることによりインバータ４１〜４３を制御して、荷物の昇降、架台の走行や横行などの運転を制御するクレーン運転機能、共通母線９に対するエンジン発電装置１からの電力供給状況を確認する電力供給状況確認機能、および操作者からのクレーン操作入力や指令入力、電力供給状況などから得られる当該クレーン装置の動作状況に応じたエンジン回転速度を、運転指示１０によりエンジン発電装置１へ指示する回転速度制御機能がある。
【００１９】
通常、エンジン発電装置１のディーゼルエンジン１１には、５段階程度で制御目標となる複数のエンジン回転速度が予め規定値として用意されており、これら規定値のうちのいずれかが各クレーン動作に応じたエンジン回転速度として設定されている。例えば、巻上げ動作には５段階のうち最高回転速度が割り当てられ、横行動作や走行動作には中域回転速度が割り当てられる。コントローラ７は、操作者からのクレーン操作入力や指令入力に応じたエンジン回転速度を選択し、運転指示１０によりエンジン発電装置１へ指示する。
【００２０】
また、共通母線９に対するエンジン発電装置１からの電力供給状況は、例えば共通母線９の供給電圧を監視すれば把握できる。クレーン操作に基づき荷物の巻き上げや、架台の走行や横行などのクレーン動作を行う場合、対応する電動機３０〜３３を駆動した時点で、共通母線９上の駆動電力ＰＭが使用されるため供給電圧が低下する。
したがって、電力供給状況確認機能により、例えばエンジン発電装置１から共通母線９までの電力配線上に設けた検出器からの検出値に基づいて共通母線９の駆動電圧ＶＭを検出し、予めメモリに保存しておいた下限しきい値や上限しきい値を読み出して比較し、その比較結果に応じてエンジン回転速度Ｎを制御することにより、電力供給状況の過不足を制御するようにしてもよい。
【００２１】
［一実施の形態の動作］
次に、図２および図３を参照して、本発明の一実施の形態にかかるクレーン装置の動作について詳細に説明する。図２は、エンジン発電装置のエンジン回転速度と発電電圧との関係を示す動作特性である。図３は、エンジン発電装置のエンジン回転速度と補助電圧との関係を示す動作特性である。
【００２２】
コントローラ７は、操作レバーや操作スイッチを介して検出した操作者のクレーン操作入力に基づいて、クレーン動作の有無を確認する。ここで、荷物の昇降、架台の走行や横行などのクレーン動作の実行が確認された場合、コントローラ７は、当該クレーン動作に必要な動作回転速度Ｎｂを算出し、そのエンジン回転速度を運転指示１０によりエンジン発電装置１へ指示する。これに応じて、ディーゼルエンジン１１のエンジン回転速度がＮｂまで上昇を開始する。
【００２３】
一方、操作レバーや操作スイッチを介して検出した操作者のクレーン操作入力に基づいて、クレーン動作の停止が確認された場合、コントローラ７は、動作回転速度Ｎｂより低いアイドリング回転速度Ｎａを運転指示１０によりエンジン発電装置１へ指示する。これに応じて、ディーゼルエンジン１１のエンジン回転速度Ｎがアイドリング回転速度Ｎａへ低下する。
したがって、クレーン装置の動作状況に応じてエンジン回転速度Ｎを大幅に低下させることができ、結果として、エンジン発電装置１の燃費を効果的に削減でき、環境への影響も削減することが可能となる。
【００２４】
エンジン発電装置１は、エンジン回転速度Ｎと発電電圧ＶＧについて、図２に示すような動作特性を有している。この動作特性において、エンジン回転速度Ｎが動作回転速度Ｎｂ以下の場合、エンジン回転速度Ｎの増加に応じて発電電圧ＶＧが単調増加し、エンジン回転速度Ｎが動作回転速度Ｎｂ以上の場合、発電電圧ＶＧが動作発電電圧ＶＧｂに収束する。
このため、ディーゼルエンジン１１のエンジン回転速度がアイドリング回転速度Ｎａへ低下した場合、発電電圧ＶＧもアイドリング発電電圧ＶＧａまで低下する。
【００２５】
一方、電圧昇圧装置５１は、エンジン回転速度Ｎと補助電圧ＶＳについて、図３に示すような動作特性を有している。この動作特性は、エンジン回転速度Ｎがアイドリング回転速度Ｎａ以下の場合、エンジン回転速度Ｎの増加に応じて補助電圧ＶＳが単調増加し、エンジン回転速度Ｎがアイドリング回転速度Ｎａから動作回転速度Ｎｂ以下の場合、エンジン回転速度Ｎに関わらず一定のアイドリング補助電圧ＶＳａとなる。
このため、ディーゼルエンジン１１のエンジン回転速度が動作回転速度Ｎｂからアイドリング回転速度Ｎａまで低下した場合でも、補助電圧ＶＳは、アイドリング補助電圧ＶＳａに維持される。
【００２６】
したがって、補機設備６を駆動するのに十分な電圧値を、アイドリング補助電圧ＶＳａとして予め設定しておくことにより、クレーン動作が停止されてエンジン回転速度Ｎをアイドリング回転速度Ｎａまで低下させた場合でも、補助電圧ＶＳを、アイドリング補助電圧ＶＳａ、すなわち補機設備６を駆動するのに十分な電圧に維持することが可能となる。
【００２７】
［一実施の形態の動作例］
次に、図４を参照して、本発明の一実施の形態にかかるクレーン装置の動作例について説明する。図４は、本発明の一実施の形態にかかるクレーン装置の動作例を示すタイミングチャートである。ここでは、クレーン動作の開始に応じてエンジン発電装置１のエンジン回転速度が増加した後、クレーン動作の停止に応じてエンジン発電装置１のエンジン回転速度が低減する場合を例として説明する。
【００２８】
時刻Ｔ０以前においては、クレーン動作は行われておらず、エンジン発電装置１のディーゼルエンジン１１は、アイドリング回転速度Ｎａで運転されている。このとき、エンジン発電装置１から出力される発電電力ＰＧの発電電圧ＶＧはアイドリング発電電圧ＶＧａを示している。この際、電圧昇圧装置５１からは、入力される発電電圧ＶＧがアイドリング発電電圧ＶＧａであることから、補助電力ＰＳの補助電圧ＶＳとして、補機設備６を駆動するのに十分なアイドリング補助電圧ＶＳａが出力されている。
【００２９】
次に、時刻Ｔ０において、荷物の巻き上げ指令を示すクレーン操作７０が行われた場合、コントローラ７は、その操作指令に応じた動作回転速度Ｎｂを示す運転指示１０をエンジン発電装置１へ出力する。これによりエンジン発電装置１のエンジン回転速度がアイドリング回転速度Ｎａから動作回転速度Ｎｂへ徐々に上昇し、エンジン発電装置１からの発電電力ＰＧが増加し、その発電電圧ＶＧも徐々に上昇する。また、負荷電力ＰＬも時刻Ｔ０から上昇し、時刻Ｔ１で最大負荷電力ＰＬｂとなる。
【００３０】
その後、時刻Ｔ１に、エンジン回転速度Ｎが動作回転速度Ｎｂに到達して一定となり、発電電力ＰＧとして最大駆動電力が出力されるとともに、その発電電圧ＶＧも動作発電電圧ＶＧｂに達する。この際、電圧昇圧装置５１からは、入力される発電電圧ＶＧが動作発電電圧ＶＧｂであることから、補助電力ＰＳの補助電圧ＶＳとして、補機設備６を駆動するのに十分なアイドリング補助電圧ＶＳａが出力されている。
【００３１】
また、時刻Ｔ２に、荷物の巻き下げ指令を示すクレーン操作７０が行われ、時刻Ｔ３に巻き下げ動作が完了した場合、時刻Ｔ２において、負荷電力ＰＬが巻き下げ時の負荷まで一旦低下した後、時刻Ｔ３まで徐々に低下する。
コントローラ７は、そのクレーン動作の停止操作指令に応じて、アイドリング回転速度Ｎａを示す運転指示１０をエンジン発電装置１へ出力する。これによりエンジン発電装置１のエンジン回転速度が徐々に低下し、時刻Ｔ３に、エンジン回転速度Ｎがアイドリング回転速度Ｎａに到達して一定となる。
したがって、時刻Ｔ３において、電圧昇圧装置５１からは、入力される発電電圧ＶＧがアイドリング発電電圧ＶＧａであることから、補助電力ＰＳの補助電圧ＶＳとして、補機設備６を駆動するのに十分なアイドリング補助電圧ＶＳａが出力される。  
【００３２】
これにより、クレーン動作が停止されてエンジン回転速度Ｎがアイドリング回転速度Ｎａまで低下させた場合でも、補助電圧ＶＳを、アイドリング補助電圧ＶＳａ、すなわち補機設備６を駆動するのに十分な電圧に維持され、補機設備６の正常動作が維持される。
【００３３】
［一実施の形態の効果］
このように、本実施の形態は、コントローラ７により、クレーン動作を実行している際にはディーゼルエンジン１１を当該クレーン動作に必要な動作回転速度Ｎｂで運転するとともに、クレーン動作を停止している際にはディーゼルエンジン１１を動作回転速度Ｎｂより低いアイドリング回転速度Ｎａで運転し、電圧昇圧装置５１により、発電電力ＰＧの発電電圧ＶＧを昇圧することにより補機設備６を駆動するための補助電力ＰＳを供給するとともに、ディーゼルエンジン１１がアイドリング回転速度Ｎａで運転されて発電電圧ＶＧが低下した場合でも、補機設備６を駆動するのに十分な電圧の補助電力ＰＳを供給している。
【００３４】
したがって、クレーン動作が停止されてエンジン回転速度Ｎをアイドリング回転速度Ｎａまで低下させた場合でも、電圧昇圧装置５１により、アイドリング補助電圧ＶＳａ、すなわち補機設備６を駆動するのに十分な補助電圧ＶＳを供給することが可能となる。
これにより、クレーン装置の動作状況に応じてエンジン発電装置のエンジン回転速度Ｎをアイドリング回転速度Ｎａまで大幅に低下させても、補機設備６を安定駆動することが可能となる。このため、クレーン装置の全体的な動作を正常に維持しつつ、エンジン発電装置の燃費を効果的に削減でき、環境への影響も低減することが可能となる。
【００３５】
また、本実施の形態では、整流器５２を設けて、補助電力ＰＳの補助電圧ＶＳが駆動電力ＰＭの駆動電圧ＶＭより高い場合にのみ、補助電力ＰＳを共通母線９へ供給するようにしたので、補助電力ＰＳの余剰電力を駆動電力ＰＭとして有効利用することが可能となる。
【００３６】
［実施の形態の拡張］
以上の各実施の形態では、エンジン発電装置１から交流の駆動電力１５を供給する場合を例として説明したが、これに限定されるものではなく、エンジン発電装置１から直流の駆動電力を供給する場合でも前述と同様に各実施の形態を適用でき、同様の作用効果を得ることができる。この際、発電機１２として直流発電機を用いるとともに、整流器２を取り外して直結し、電圧昇圧装置５１として交流昇圧チョッパを用いればよい。
【図面の簡単な説明】
【００３７】
【図１】本発明の一実施の形態にかかるクレーン装置の構成を示す機能ブロック図である。
【図２】エンジン発電装置のエンジン回転速度と発電電圧との関係を示す動作特性である。
【図３】エンジン発電装置のエンジン回転速度と補助電圧との関係を示す動作特性である。
【図４】本発明の一実施の形態にかかるクレーン装置の動作例を示すタイミングチャートである。
【符号の説明】
【００３８】
１…エンジン発電装置、１０…運転指示、１１…ディーゼルエンジン、１２…発電機、２…整流器、３０…主巻電動機、３１，３２…走行電動機、３３…横行電動機、４１〜４４…インバータ、４Ａ…コマンド、５１…電圧昇圧装置、５２…整流器、６…補機設備、７…コントローラ、９…共通母線、Ｎ…エンジン回転速度、Ｎａ…アイドリング回転速度、Ｎｂ…動作回転速度、ＰＧ…発電電力（交流）、ＶＧ…発電電圧、ＶＧａ…アイドリング発電電圧、ＶＧｂ…動作発電電圧、ＰＭ…駆動電力（直流）、ＶＭ…駆動電圧、ＰＳ…補助電力（直流）、ＶＳ…補助電圧、ＶＳａ…アイドリング補助電圧。
【図１】
2010083666.tif 000003
【図２】
2010083666.tif 000004
【図３】
2010083666.tif 000005
【図４】
2010083666.tif 000006